(57)【特許請求の範囲】
【請求項１】
複数の遠隔基地局、複数の第１データ処理装置、及び１つの中央側装置を備えるデータ伝送システムにおけるデータ伝送方法であって、前記複数の第１データ処理装置のうちの任意の１つの第１データ処理装置は前記複数の遠隔基地局のうちの２つ以上の遠隔基地局に接続され、かつ前記複数の遠隔基地局のうちの任意の１つの遠隔基地局は、前記複数の第１データ処理装置のうちのただ１つの第１データ処理装置だけに接続され、前記複数の第１データ処理装置のうちの任意の１つの第１データ処理装置と、該任意の１つの第１データ処理装置に接続される前記複数の遠隔基地局のうちの２つ以上の遠隔基地局のうちの任意の１つの遠隔基地局とは、それぞれ、１つの光ファイバ又は１対の光ファイバを介して接続され、そして前記複数の第１データ処理装置のうちの任意の１つの第１データ処理装置と、前記中央側装置とは、それぞれ、１つの光ファイバ又は１対の光ファイバを介して接続され、そして前記データ伝送方法は：
前記複数の第１データ処理装置のうちの１つの第１データ処理装置により、前記複数の遠隔基地局の中の２つ以上の遠隔基地局から送信される２つ以上のデータフローを受信するステップ、前記２つ以上のデータフローを出力データの１つのフローに集約するステップ、及び前記中央側装置に前記出力データを送信するステップ；又は
前記複数の第１データ処理装置のうちの１つの第１データ処理装置により、前記中央側装置から送信される合成入力データの１つのフローを受信するステップ、前記合成入力データを合成前の２つ以上のデータフローに復元するステップ、及び各復元されたデータフローの中のサブインターフェース識別情報に従い、かつ前記複数のサブインターフェース識別情報に対応する複数のサブインターフェースを介して、前記復元された２つ以上のデータフローを複数の光ファイバを介して前記複数のサブインターフェースに接続された複数の遠隔基地局に送信するステップ、
を備え、
前記複数の遠隔基地局のうちの任意の１つの遠隔基地局と前記中央側装置との間の距離は、該任意の１つの遠隔基地局と該任意の１つの遠隔基地局と接続される前記複数の第１データ処理装置のうちの１つの第１データ処理装置との間の距離よりも大きい、
方法。
【請求項２】
前記２つ以上のデータフローを出力データの１つのフローに集約するステップは：
前記受信される２つ以上のデータフローのうちの各データフローの速度を取得するステップ、及び各受信されるデータフローのサブインターフェース識別情報を取得するステップ；及び
前記２つ以上のデータフローの速度の合計が事前に設定される合成データの閾速度よりも低い場合に、各データフローの中の各データフローに対応するサブインターフェース識別情報を送信するステップ、及び前記２つ以上のデータフローであって、それらそれぞれのサブインターフェース識別情報を送信する、前記２つ以上のデータフローを、出力データの１つのフローに集約するステップ；
を含む、請求項１に記載の方法。
【請求項３】
前記合成入力データを合成前の２つ以上のデータフローに復元する前記ステップは：
前記合成入力データを解析するステップ及び前記合成入力データの中の各データフローのサブインターフェース識別情報を取得するステップ；及び
各データフローの前記サブインターフェース識別情報に従って、前記合成入力データを合成前の前記２つ以上のデータフローに復元するステップ；
を含む、請求項１又は２に記載の方法。
【請求項４】
前記複数のデータフローの前記速度の合計が前記事前に設定される合成データの閾速度よりも高い場合に、警報情報を生成するステップ；及び
前記警報情報を前記中央側装置に送信するステップ；
をさらに含む、請求項２に記載の方法。
【請求項５】
複数の遠隔基地局、複数の第１データ処理装置、及び１つの中央側装置を備えるデータ伝送システムにおける前記複数の第１データ処理装置のうちの１つの第１データ処理装置であって、複数のサブインターフェース又はサブインターフェースの複数の対、１つの合成インターフェース又は合成インターフェースの１対、及びデータ処理部を備え、各サブインターフェース又は各１対のサブインターフェースは、一意のサブインターフェース識別情報を有し、前記１つの第１データ処理装置は前記複数の遠隔基地局のうちの２つ以上の遠隔基地局に接続され、前記１つの第１データ処理装置と、前記２つ以上の遠隔基地局のうちの任意の１つの遠隔基地局とは、それぞれ、１つの光ファイバ又は１対の光ファイバを介して前記複数のサブインターフェースのうちの１つのサブインターフェース又は前記サブインターフェースの複数の対のうちの１対のサブインターフェースに接続され、かつ前記中央側装置とは、１つの光ファイバ又は１対の光ファイバを介して前記１つの合成インターフェース又は前記１対の合成インターフェースに接続され；
前記複数のサブインターフェースは、光ファイバを介して前記複数のサブインターフェースに接続される遠隔基地局から送信されるデータを受信するように構成され；
前記データ処理部は、前記２つ以上のサブインターフェースにより受信される２つ以上のデータフローを出力データの１つのフローに集約するように構成され；
前記１つの合成インターフェースは前記データ処理部により合成された前記出力データを、光ファイバを介して前記合成インターフェースに接続される前記中央側装置に送信するように構成され；
前記合成インターフェースは、さらに、前記中央側装置から送信される合成入力データの１つのフローを受信するように構成され；
前記データ処理部は、さらに、前記合成インターフェースにより受信される前記合成入力データを、合成前の２つ以上のデータフローに復元するように構成され；かつ
前記サブインターフェースは、さらに、各復元されるデータフローの中のサブインターフェース識別情報に従って、前記データ処理部により復元される前記２つ以上のデータフローを複数の光ファイバを介して前記複数のサブインターフェースに接続される複数の遠隔基地局に送信するように構成され、
前記１つの第１データ処理装置に接続される前記２つ以上の遠隔基地局のうちの任意の１つの遠隔基地局と前記中央側装置との間の距離は、該任意の１つの遠隔基地局と前記１つの第１データ処理装置との間の距離よりも大きい、
第１データ処理装置。
【請求項６】
前記受信される２つ以上のデータフローのうちの各データフローの速度を取得し、かつ各受信されるデータフローのサブインターフェース識別情報を取得するように構成される第１取得部；をさらに備え、
前記データ処理部は、前記第１取得部により取得される前記２つ以上のデータフローの速度の合計が事前に定められる合成データの閾速度よりも低い場合に、各データフローの中の各データフローに対応するサブインターフェース識別情報を送信し、かつ前記２つ以上のデータフローであって、それらそれぞれのサブインターフェース識別情報を送信する、前記２つ以上のデータフローを、出力データの１つのフローに集約するように構成される、
請求項５に記載の装置。
【請求項７】
前記第１取得部により取得される前記複数のデータフローの前記速度の合計が前記事前に定められる合成データの閾速度よりも高い場合に、警報情報を生成するように構成される生成部；をさらに備え、
前記合成インターフェースは、前記生成部により生成される前記警報情報を前記中央側装置に送信するように構成される、
請求項６に記載の装置。
【請求項８】
前記合成入力データを解析するように構成される解析部；及び
前記解析部により解析される前記合成入力データの中の各データフローのサブインターフェース識別情報を取得するように構成される取得部；をさらに備え、
前記データ処理部は、前記取得部により取得される前記複数のサブインターフェース識別情報に従って、前記合成入力データを合成前の前記２つ以上のデータフローに復元するように構成される、
請求項５に記載の装置。
【請求項９】
複数の遠隔基地局、複数の第１データ処理装置、及び１つの中央側装置を備えるデータ伝送システムであって、前記中央側装置は、１つの第２データ処理装置を統合し；
前記複数の第１データ処理装置のうちの任意の１つの第１データ処理装置は前記複数の遠隔基地局のうちの２つ以上の遠隔基地局に接続され、かつ前記複数の遠隔基地局のうちの任意の１つの遠隔基地局は、前記複数の第１データ処理装置のうちのただ１つの第１データ処理装置だけに接続され、前記複数の第１データ処理装置のうちの任意の１つの第１データ処理装置と、該任意の１つの第１データ処理装置に接続される前記複数の遠隔基地局のうちの２つ以上の遠隔基地局のうちの任意の１つの遠隔基地局とは、それぞれ、１つの光ファイバ又は１対の光ファイバを介して接続され、そして前記複数の第１データ処理装置のうちの任意の１つの第１データ処理装置と、前記中央側装置とは、それぞれ、１つの光ファイバ又は１対の光ファイバを介して接続され；
前記複数の第１データ処理装置のうちの任意の１つの第１データ処理装置は、該任意の１つの第１データ処理装置に接続される前記複数の遠隔基地局のうちの２つ以上の遠隔基地局から送信される２つ以上のデータのフローを受信し、前記２つ以上のデータフローを出力データの１つのフローに集約し、かつ前記出力データを前記中央側装置に送信するように構成され；
前記第２データ処理装置は、前記中央側装置と前記複数の遠隔基地局との間の通信を実行するために、前記複数の第１データ処理装置のうちの任意の１つの第１データ処理装置から送信される出力データを受信し、前記出力データを合成前の２つ以上のデータフローに復元するように構成され；
前記第２データ処理装置は、さらに、前記中央側装置により前記複数の第１データ処理装置のうちの１つに接続される前記複数の遠隔基地局のうちの２つ以上の遠隔基地局に送信される２つ以上のデータフローを１つのフローに集約し、かつ前記２つ以上の遠隔基地局に接続される前記第１データ処理装置に、前記集約される合成入力データを送信するように構成され；かつ
前記複数の第１データ処理装置のうちの任意の１つの第１データ処理装置は、さらに、前記中央側装置から送信される合成入力データを受信し、前記合成入力データを合成前の前記２つ以上のデータフローに復元し、そして、各復元されるデータフローの中のサブインターフェース識別情報に従って、かつ前記複数のサブインターフェース識別情報に対応する複数のサブインターフェースを介して、前記復元される２つ以上のデータフローを、複数の光ファイバを介して前記複数のサブインターフェースに接続される前記複数の遠隔基地局のうちの２つ以上の遠隔基地局に送信するように構成され、
前記複数の遠隔基地局のうちの任意の１つの遠隔基地局と前記中央側装置との間の距離は、該任意の１つの遠隔基地局と該任意の１つの遠隔基地局と接続される前記複数の第１データ処理装置のうちの１つの第１データ処理装置との間の距離よりも大きい、
データ伝送システム。
【請求項１０】
複数の遠隔基地局、複数の第１データ処理装置、１つの第２データ処理装置、及び１つの中央側装置を備えるデータ伝送システムであって、前記第２データ処理装置は、前記中央側装置の外部に配置され、かつ中央側装置と前記第２データ処理装置との間には通信接続が存在し；
前記複数の第１データ処理装置のうちの任意の１つの第１データ処理装置は前記複数の遠隔基地局のうちの２つ以上の遠隔基地局に接続され、かつ前記複数の遠隔基地局のうちの任意の１つの遠隔基地局は、前記複数の第１データ処理装置のうちのただ１つの第１データ処理装置だけに接続され、前記複数の第１データ処理装置のうちの任意の１つの第１データ処理装置と、該任意の１つの第１データ処理装置に接続される前記複数の遠隔基地局のうちの２つ以上の遠隔基地局のうちの任意の１つの遠隔基地局とは、それぞれ、１つの光ファイバ又は１対の光ファイバを介して接続され、かつ前記複数の第１データ処理装置のうちの任意の第１データ処理装置と、前記第２データ処理装置とは、それぞれ、１つの光ファイバ又は１対の光ファイバを介して接続され；
前記複数の第１データ処理装置のうちの任意の１つの第１データ処理装置は、該任意の１つの第１データ処理装置に接続される前記複数の遠隔基地局のうちの２つ以上の遠隔基地局から送信される２つ以上のデータフローを受信し、前記２つ以上のデータフローを出力データの１つのフローに集約し、かつ前記出力データを前記第２データ処理装置に送信するように構成され；
前記第２データ処理装置は、前記中央側装置と前記遠隔基地局との間の通信を実行するために、前記複数の第１データ処理装置のうちの任意の１つの第１データ処理装置から送信される前記出力データを受信し、前記出力データを合成前の前記２つ以上のデータフローに復元するように構成され；
前記第２データ処理装置は、さらに、１つの第１データ処理装置に接続される前記複数の遠隔基地局のうちの２つ以上の遠隔基地局に前記中央側装置により送信される２つ以上のデータフローを１つのフローに集約し、かつ前記集約された合成入力データを、前記２つ以上の遠隔基地局に接続される前記第１データ処理装置に送信するように構成され；  かつ
前記複数の第１データ処理装置のうちの任意の１つの第１データ処理装置は、さらに、前記第２データ処理装置から送信される前記合成入力データを受信し、前記合成入力データを合成前の前記２つ以上のデータフローに復元し、そして、各復元されるデータフローの中のサブインターフェース識別情報に従って、かつ前記複数のサブインターフェース識別情報に対応する複数のサブインターフェースを介して、前記復元される２つ以上のデータフローを、複数の光ファイバを介して前記複数のサブインターフェースに接続される前記複数の遠隔基地局のうちの２つ以上の遠隔基地局に送信するように構成され、
前記複数の遠隔基地局のうちの任意の１つの遠隔基地局と前記中央側装置との間の距離は、該任意の１つの遠隔基地局と該任意の１つの遠隔基地局と接続される前記複数の第１データ処理装置のうちの１つの第１データ処理装置との間の距離よりも大きい、
データ伝送システム。
【発明の詳細な説明】
【技術分野】
【０００１】
本出願は、２０１２年６月１５日に中国特許庁に提出された、「Ｄａｔａ  Ｔｒａｎｓｍｉｓｓｉｏｎ  Ｍｅｔｈｏｄ，Ａｐｐａｒａｔｕｓ，Ａｎｄ  Ｓｙｓｔｅｍ」と題する中国特許出願第２０１２１０１９８８６０.１号の優先権を主張し、参照することにより、その全内容をここに援用する。
【０００２】
本発明は通信技術の分野に関連し、そして特に、データを伝送するための方法、装置、及びシステムに関連する。
【背景技術】
【０００３】
ユーザの位置するエリアがより広くなるにつれて、遠隔基地局は次第に従来のマクロ基地局から分散遠隔基地局に発展してきている。分散遠隔基地局に関して、光ファイバを通した直接のドライブの使用により、遠隔無線部（ＲＲＵ、Ｒｅｍｏｔｅ  ｒａｄｉｏ  ｕｎｉｔ）とベースバンド部（ＢＢＵ、Ｂａｓｅｂａｎｄ  ｕｎｉｔ）との間に、共通の公衆無線インターフェース（ＣＰＲＩ、Ｃｏｍｍｏｎ  ｐｕｂｌｉｃ  ｒａｄｉｏ  ｉｎｔｅｒｆａｃｅ）データ接続が設定される。
【０００４】
遠隔基地局が、クラウド無線アクセスネットワーク（Ｃｌｏｕｄ  Ｒａｄｉｏ  Ａｃｃｅｓｓ  Ｎｅｔｗｏｒｋ）に向けて発展するにつれて、複数のＢＢＵは、ベースバンド部のプール（ＢＢＵ  ｐｏｏｌ）を形成する規模で集中化されており、かつ複数の遠隔基地局の複数のＲＲＵは、複数のＢＢＵリソースを共有し、複数の遠隔基地局は、地理的に分散されている。図１において示されるように、各遠隔基地局は、１つの光ファイバ又は１対の光ファイバを介してＢＢＵに接続されており、そしてデータは大量の光ファイバを必要とする二地点間方式で伝送される。
【発明の概要】
【発明が解決しようとする課題】
【０００５】
本発明の複数の実施例は、必要とされる光ファイバの量を減らすデータ伝送方法を提供する。また、本発明の複数の実施例はデータ処理装置及びシステムを提供する。
【課題を解決するための手段】
【０００６】
データ伝送方法が提供され、データ処理装置は複数の遠隔基地局及び１つの中央側装置に接続され、前記データ処理装置は、１つの光ファイバ又は１対の光ファイバを介して、各遠隔基地局に接続され、かつ前記データ処理装置は１つの光ファイバ又は１対の光ファイバを介して前記中央側装置に接続され、そして前記方法は：
前記データ処理装置により、前記複数の遠隔基地局の中の２つ以上の遠隔基地局から送信される２つ以上のデータフローを受信するステップ、前記２つ以上のデータフローを出力データの１つのフローに集約するステップ、及び前記中央側装置に前記出力データを送信するステップ；又は
前記データ処理装置により、前記中央側装置から送信される合成入力データの１つのフローを受信するステップ、前記合成入力データを合成前の２つ以上のデータフローに復元するステップ、及び各復元されたデータフローの中のサブインターフェース識別情報に従い、かつ前記複数のサブインターフェース識別情報に対応する複数のサブインターフェースを介して、前記復元された２つ以上のデータフローを複数の光ファイバを介して前記複数のサブインターフェースに接続された複数の遠隔基地局に送信するステップ、を備える。
【０００７】
データ処理装置は、複数のサブインターフェース又はサブインターフェースの複数の対、及び１つ以上の合成インターフェース又は合成インターフェースの１つ以上の対を含み、各サブインタフェース又は各１対のサブインタフェースは、一意のサブインターフェース識別情報を有し、各遠隔基地局は、１つの光ファイバ又は１対の光ファイバを介して１つのサブインターフェース又は１対のサブインターフェースに接続され、かつ中央側装置は、１つの光ファイバ又は１対の光ファイバを介して１つの合成インターフェース又は１対の合成インターフェースに接続され；前記複数のサブインターフェースは、光ファイバを介して前記複数のサブインターフェースに接続される遠隔基地局から送信されるデータを受信するように構成され；データ処理部は、前記２つ以上のサブインターフェースにより受信される２つ以上のデータフローを出力データの１つのフローに集約するように構成され；前記合成インターフェースは前記データ処理部により合成された前記出力データを、光ファイバを介して前記合成インターフェースに接続される前記中央側装置に送信するように構成され；前記合成インタフェースは、さらに、前記中央側装置から送信される合成入力データの１つのフローを受信するように構成され；前記データ処理部は、さらに、前記合成インターフェースにより受信される前記合成入力データを、合成前の２つ以上のデータフローに復元するように構成され；かつ前記サブインターフェースは、さらに、各復元されるデータフローの中のサブインターフェース識別情報に従って、前記データ処理部により復元される前記２つ以上のデータフローを複数の光ファイバを介して前記複数のサブインターフェースに接続される複数の遠隔基地局に送信するように構成される。
【０００８】
データ伝送システムは：複数の遠隔基地局、１つのデータ処理装置、及び１つの中央側装置を備え、前記中央側装置は１つの内蔵データ処理装置を統合し；前記データ処理装置は１つの光ファイバ又は１対の光ファイバを介して各遠隔基地局に接続され、かつ前記データ処理装置は１つの光ファイバ又は１対の光ファイバを介して前記中央側装置に接続され；前記データ処理装置は前記複数の遠隔基地局の中の２つ以上の遠隔基地局から送信された２つ以上のデータフローを受信し、前記２つ以上のデータフローを出力データの１つのフローに集約し、かつ前記中央側装置に前記出力データを送信するように構成され；前記中央側装置は、前記中央側装置と前記複数の遠隔基地局との間の通信を実行するために、前記データ処理装置から送信される前記出力データを受信し、前記出力データを合成前の前記２つ以上のデータフローに戻し、そして次に前記２つ以上のデータフローを認識するように構成され；前記中央側装置は、さらに、前記データ処理装置に接続される２つ以上の遠隔基地局に送信される２つのデータフローを１つのフローに集約し、かつ前記集約された合成入力データを前記データ処理装置に送信するように構成され；かつ前記データ処理装置は、さらに、前記中央側装置から送信される前記合成入力データを受信し、前記合成入力データを合成前の前記２つ以上のデータフローに復元し、かつ各復元されるデータフローの中のサブインターフェース識別情報に従って、かつ前記複数のサブインターフェース識別情報に対応する複数のサブインターフェースを介して、前記復元される２つ以上のデータフローを、複数の光ファイバを介して前記複数のサブインターフェースと接続される前記複数の遠隔基地局に送信するように構成される。
【０００９】
データ伝送システムは複数の遠隔基地局、１つの第１データ処理装置、及び１つの中央側装置を備え、前記中央側装置は、１つの第２データ処理装置を統合し；前記第１データ処理装置は、１つの光ファイバ又は１対の光ファイバを介して、各遠隔基地局に接続され、かつ前記第１データ処理装置は、１つの光ファイバ又は１対の光ファイバを介して、前記中央側装置に接続され；前記第１データ処理装置は前記複数の遠隔基地局の中の２つ以上の遠隔基地局から送信される２つ以上のデータフローを受信し、前記２つ以上のデータフローを出力データの１つのフローに集約し、かつ前記出力データを前記中央側装置に送信するように構成され；前記第２データ処理装置は、前記中央側装置と前記複数の遠隔基地局との間の通信を実行するために、前記第１データ処理装置から送信される出力データを受信し、前記出力データを合成前の前記２つ以上のデータフローに復元し、そして次に、前記２つ以上のデータフローを認識するように構成され；前記第２データ処理装置は、さらに、前記中央側装置により前記第１データ処理装置に接続される２つ以上の遠隔基地局に送信される２つのデータフローを１つのフローに集約し、かつ前記第１データ処理装置に前記集約された合成入力データを送信するように構成され；かつ前記第１データ処理装置は、さらに、前記中央側装置から送信される前記合成入力データを受信し、前記合成入力データを合成前の前記２つ以上のデータフローに復元し、かつ各復元されるデータフローの中のサブインターフェース識別情報に従って、かつ前記複数のサブインターフェース識別情報に対応する複数のサブインターフェースを介して、前記復元される２つ以上のデータフローを、複数の光ファイバを介して前記複数のサブインターフェースに接続される前記複数の遠隔基地局に送信するように構成される。
【００１０】
データ伝送システムは、複数の遠隔基地局、複数の第１データ処理装置、及び１つの中央側装置を備え、前記中央側装置は、１つの第２データ処理装置を統合し；各第１データ処理装置は複数の遠隔基地局に接続され、かつ各遠隔基地局は、ただ１つの第１データ処理装置だけに接続され、各第１データ処理装置及び遠隔基地局は１つの光ファイバ又は１対の光ファイバを介して接続され、そして各第１データ処理装置は１つの光ファイバ又は１対の光ファイバを介して前記中央側装置に接続され；前記第１データ処理装置は、前記第１データ処理装置に接続される複数の遠隔基地局の中の２つ以上の遠隔基地局から送信される２つ以上のデータのフローを受信し、前記２つ以上のデータフローを出力データの１つのフローに集約し、かつ前記出力データを前記中央側装置に送信するように構成され；前記第２データ処理装置は、前記中央側装置と前記複数の遠隔基地局との間の通信を実行するために、前記第１データ処理装置から送信される出力データを受信し、前記出力データを合成前の２つ以上のデータフローに復元し、そして次に、前記２つ以上のデータフローを認識するように構成され；前記第２データ処理装置は、さらに、前記中央側装置により前記複数の第１データ処理装置のうちの１つに接続される２つ以上の遠隔基地局に送信される２つのデータフローを１つのフローに集約し、かつ前記２つ以上の遠隔基地局に接続される前記第１データ処理装置に、前記集約される合成入力データを送信するように構成され；かつ前記第１データ処理装置は、さらに、前記中央側装置から送信される合成入力データを受信し、前記合成入力データを合成前の前記２つ以上のデータフローに復元し、そして、各復元されるデータフローの中のサブインターフェース識別情報に従って、かつ前記複数のサブインターフェース識別情報に対応する複数のサブインターフェースを介して、前記復元される２つ以上のデータフローを、複数の光ファイバを介して前記複数のサブインターフェースに接続される前記複数の遠隔基地局に送信するように構成される。
【００１１】
データ伝送システムは複数の遠隔基地局、１つの第１データ処理装置、１つの第２データ処理装置、及び１つの中央側装置を備え、前記第２データ処理装置は前記中央側装置の外部に配置され、かつ前記中央側装置と前記第２データ処理装置との間には通信接続が存在し；前記第１データ処理装置は、１つの光ファイバ又は１対の光ファイバを介して、各遠隔基地局に接続され、かつ前記第１データ処理装置は、１つの光ファイバ又は１対の光ファイバを介して、前記第２データ処理装置に接続され；前記第１データ処理装置は、前記複数の遠隔基地局の中の２つ以上の遠隔基地局から送信される２つ以上のデータフローを受信し、前記２つ以上のデータフローを出力データの１つのフローに集約し、かつ前記第２データ処理装置に前記出力データを送信するように構成され；前記第２データ処理装置は、前記中央側装置と前記複数の遠隔基地局との間の通信を実行するために、前記第１データ処理装置から送信される前記出力データを受信し、前記出力データを合成前の前記２つ以上のデータフローに復元し、そして次に、前記２つ以上のデータフローを認識するように構成され；前記第２データ処理装置は、さらに、前記中央側装置により２つ以上の遠隔基地局に送信される２つのデータフローを１つのフローに集約し、かつ前記集約された合成入力データを前記第１データ処理装置に送信するように構成され；  かつ前記第１データ処理装置は、さらに、前記第２データ処理装置から送信される前記合成入力データを受信し、前記合成入力データを合成前の前記２つ以上のデータフローに復元し、かつ各復元されるデータフローの中のサブインターフェース識別情報に従って、かつ前記複数のサブインターフェース情報に対応する複数のサブインターフェースを介して、前記復元される２つ以上のデータフローを、複数の光ファイバを介して前記複数のサブインターフェースに接続される前記複数の遠隔基地局に送信するように構成される。
【００１２】
データ伝送システムは、複数の遠隔基地局、複数の第１データ処理装置、１つの第２データ処理装置、及び１つの中央側装置を備え、前記第２データ処理装置は、前記中央側装置の外部に配置され、かつ中央側装置と前記第２データ処理装置との間には通信接続が存在し；各第１データ処理装置は複数の遠隔基地局に接続され、そして各遠隔基地局は、ただ１つの第１データ処理装置だけに接続され、各第１データ処理装置及び遠隔基地局は、１つの光ファイバ又は１対の光ファイバを介して接続され、かつ各第１データ処理装置は、１つの光ファイバ又は１対の光ファイバを介して、前記第２データ処理装置に接続され；前記第１データ処理装置は、前記第１データ処理装置に接続される複数の遠隔基地局の中の２つ以上の遠隔基地局から送信される２つ以上のデータフローを受信し、前記２つ以上のデータフローを出力データの１つのフローに集約し、かつ前記出力データを前記第２処理装置に送信するように構成され；前記第２データ処理装置は、前記中央側装置と前記遠隔基地局との間の通信を実行するために、前記第１データ処理装置から送信される前記出力データを受信し、前記出力データを合成前の前記２つ以上のデータフローに復元し、そして次に、２つ以上のデータフローを認識するように構成され；前記第２データ処理装置は、さらに、１つの第１データ処理装置に接続される２つ以上の遠隔基地局に前記中央側装置により送信される２つのデータフローを１つのフローに集約し、かつ前記集約された合成入力データを、前記２つ以上の遠隔基地局に接続される前記第１データ処理装置に送信するように構成され；  かつ前記第１データ処理装置は、さらに、前記第２データ処理装置から送信される前記合成入力データを受信し、前記合成入力データを合成前の前記２つ以上のデータフローに復元し、そして、各復元されるデータフローの中のサブインターフェース識別情報に従って、かつ前記複数のサブインターフェース識別情報に対応する複数のサブインターフェースを介して、前記復元される２つ以上のデータフローを、複数の光ファイバを介して前記複数のサブインターフェースに接続される前記複数の遠隔基地局に送信するように構成される。
【００１３】
本発明の複数の実施例において、データ処理装置は複数の遠隔基地局及び１つの中央側装置に接続され、前記データ処理装置は、１つの光ファイバ又は１対の光ファイバを介して、各遠隔基地局に接続され、かつ前記データ処理装置は、１つの光ファイバ又は１対の光ファイバを介して、前記中央側装置に接続され、かつ前記方法は：前記データ処理装置により、前記複数の遠隔基地局の中の２つ以上の遠隔基地局から送信される２つ以上のデータフローを受信するステップ、前記２つ以上のデータフローを出力データの１つの流れに集約するステップ、及び前記出力データを前記中央側装置に送信するステップ；又は前記データ処理装置により、前記中央側装置から送信される合成入力データの１つのフローを受信するステップ、前記合成入力データを合成前の２つ以上のデータフローに復元するステップ、及び各復元されたデータフローのサブインターフェース識別情報に従って、かつ前記複数のサブインターフェース識別情報に対応する複数のサブインターフェースを介して、複数の光ファイバを介して前記複数のサブインターフェースに接続される複数の遠隔基地局に、前記復元された２つ以上のデータフローを送信するステップ；を含む。各遠隔基地局が１つの光ファイバ又は１対の光ファイバを介して中央側装置に接続される従来の技術と比較して、本発明の複数の実施例において提供されるデータ伝送の複数の解決手段は、クラウド無線アクセスネットワークにおける中央側装置から複数の遠隔基地局が遠い（例えば、数百メートル又は数キロメートルまで）場合に、データを処理するためにデータ処理装置を使用することにより、必要とされる光ファイバの量を大幅に減らすことを可能する。ここで、前記データ処理装置は、１つの光ファイバ又は１対の光ファイバを介して、各遠隔基地局に接続され、かつ前記データ処理装置は、１つの光ファイバ又は１対の光ファイバを介して、前記中央側装置に接続される。
【図面の簡単な説明】
【００１４】
【図１】従来技術におけるデータ伝送アーキテクチャの構成図である。
【００１５】
【図２】本発明の実施例に従うシステムの概略図である。
【００１６】
【図３】本発明の他の実施例に従うシステムの概略図である。
【００１７】
【図４】本発明の他の実施例に従うシステムの概略図である。
【００１８】
【図５】本発明の他の実施例に従うシステムの概略図である。
【００１９】
【図６】本発明の他の実施例に従うシステムの概略図である。
【００２０】
【図７】本発明の他の実施例に従うシステムの概略図である。
【００２１】
【図８】本発明の他の実施例に従うシステムの概略図である。
【００２２】
【図９】本発明の実施例に従うデータ伝送方法の概略図である。
【００２３】
【図１０】本発明の他の実施例に従うデータ伝送方法の概略図である。
【００２４】
【図１１】本発明の実施例に従うデータ処理装置の概略図である。
【００２５】
【図１２】本発明の他の実施例に従うデータ処理装置の概略図である。
【００２６】
【図１３】本発明の実施例に従うデータ処理装置の概略図である。
【００２７】
【図１４】本発明の実施例に従うデータ処理装置の概略図である。
【発明を実施するための形態】
【００２８】
本発明の複数の実施例は、必要とされる光ファイバの量を減らすデータ伝送方法を提供する。また、本発明の複数の実施例は、データ処理装置及びシステムを提供する。方法、装置及びシステムは、別々に詳述される。
【００２９】
本発明の複数の実施例における中央側装置は、ベースバンド部（ＢＢＵ、Ｂａｓｅ  Ｂａｎｄ  Ｕｎｉｔ）又は集中型の複数のＢＢＵを含む装置であってもよく、そして遠隔基地局は、遠隔無線部（ＲＲＵ、Ｒｅｍｏｔｅ  Ｒａｄｉｏ  Ｕｎｉｔ）及び／又はＲＲＵに電源を提供する装置を含んでもよい。
【００３０】
図１を参照すると、図１は、従来の技術における複数の遠隔基地局と中央側装置との間の接続を示す概略図である。図１において示されるように、各遠隔基地局４０は１本の光ケーブル又は１対の光ファイバを介して中央側装置５０に接続される。複数の遠隔基地局が中央側装置から複数キロメートル離れている場合、大量の光ファイバを使う必要がある。
【００３１】
図２を参照すると、本発明の複数の実施例により提供されるデータ伝送システムの１つの実施例は：複数の遠隔基地局４０、１つの第１データ処理装置６０、及び１つの中央側装置５０を含む。中央側装置５０は１つの第２データ処理装置７０を統合する。第２データ処理装置７０は、構造及び複数の機能の双方に関して第１データ処理装置６０と同じであるが、第１データ処理装置６０により実行される処理と逆のデータ処理プロセスを実行する。
【００３２】
第１データ処理装置６０は、１つの光ファイバ又は１対の光ファイバを介して、各遠隔基地局４０に接続され、かつ第１データ処理装置６０は、１つの光ファイバ又は１対の光ファイバを介して、中央側装置５０に接続される。
【００３３】
第１データ処理装置６０は、複数の遠隔基地局の中の２つ以上の遠隔基地局から送信される２つ以上のデータフローを受信し、当該２つ以上のデータフローを出力データの１つのフローに集約し、かつ中央側装置に出力データを送信するように構成される。
【００３４】
第２データ処理装置７０は、中央側装置と複数の遠隔基地局との間の通信を実行するために、第１データ処理装置から送信される出力データを受信し、出力データを合成前の２つ以上のデータフローに復元し、そして次に、２つ以上のデータフローを認識するように構成される。
【００３５】
第２データ処理装置７０は、さらに、第１データ処理装置に接続される２つ以上の遠隔基地局に送信される２つのデータフローを、１つのフローに集約し、かつ集約された合成入力データを第１データ処理装置に送信するするように構成される。
【００３６】
第１データ処理装置６０は、さらに、中央側装置から送信される合成入力データを受信し、合成入力データを合成前の２つ以上のデータフローに復元し、そして各復元されたデータフローの中のサブインターフェース識別情報に従って、かつ当該複数のサブインターフェース識別情報に対応する複数のサブインターフェースを介して、復元された２つ以上のデータを、複数の光ファイバを介して当該複数のサブインターフェースに接続される複数の遠隔基地局に送信するように構成される。
【００３７】
第１データ処理装置６０は、複数の遠隔基地局４０及び中央側装置５０に接続される。ここで、第１データ処理装置６０は、１つの光ファイバ又は１対の光ファイバを介して、各遠隔基地局４０に接続され、そして第１データ処理装置６０は、１つの光ファイバ又は１対の光ファイバを介して、中央側装置５０に接続される。このように、複数の遠隔基地局４０が中央側装置５０から遠く離れている場合、第１データ処理装置６０及び中央側装置５０は、１つの光ファイバ又は１対の光ファイバだけを介して接続され、これにより、必要とされる光ファイバの量を大幅に減らす。
【００３８】
本発明の本実施例において、１つの光ファイバは、信号の送信及び受信の両方が可能な１つの物理的な光ファイバである。１対の光ファイバは２つの物理的な光ファイバであり、ここで２つの光ファイバの１つは信号を受信するために使用され、そして他方は信号を送信するために使用される。
【００３９】
第１データ処理装置６０は、データ伝送システムにおける主な２つの目的、すなわち、データの集約及びデータの分割、を達成する。
【００４０】
データ集約処理において、第１データ処理装置６０は、第１データ処理装置６０に接続される２つ以上の遠隔基地局から送信される２つ以上のデータフローを受信し、２つ以上のデータフォローを出力データの１つのフローに集約し、かつ中央側装置に出力データを送信するように構成され；  そして中央側装置５０は、中央側装置５０と複数の遠隔基地局４０との間の通信を実行するために、第１データ処理装置６０から送信される出力データを受信し、出力データを合成前の２つのデータフローに復元し、かつ２つ以上のデータフローを認識するように構成される。
【００４１】
データ分割処理において、中央側装置５０の中の第２データ処理装置７０は、第１データ処理装置６０に接続される２つ以上の遠隔基地局に送信される２つのデータフローを集約し、かつ当該集約された合成入力データを２つ以上の遠隔基地局４０に接続される第１のデータ処理装置６０に送信し；  そして第１データ処理装置６０は、中央側装置５０から送信される合成入力データを受信し、合成の入力データを合成前の２つのデータフローに復元し、かつ各復元されたデータフローの中のサブインターフェース識別情報に従って、かつ当該複数のサブインターフェース情報に対応する複数のサブインターフェースを介して、当該復元された２つ以上のデータフローを、複数の光ファイバを介して複数のサブインターフェースに接続される複数の遠隔基地局に送信する。
【００４２】
本発明の本実施例の実行シナリオにおいて、本発明の本実施例における中央側装置５０は第２データ処理装置７０を統合し、そして中央側装置５０に統合される第２データ処理装置７０は、第１データ処理装置６０により実行される処理と逆のデータ処理プロセスを実行する。第１データ処理装置６０が２つ以上のデータフローを合成データに集約した後、第１データ処理装置６０は、中央側装置５０に、合成データを送信し、そして中央側装置５０に統合された第２データ処理装置７０は、中央側装置５０が各遠隔基地局４０の情報を認識できるようにするために、合成データを合成前の２つ以上のデータフローに復元する。逆に、中央側装置５０が２つ以上の遠隔基地局にデータを送信する必要がある場合には、統合された第２データ処理装置７０は、送信される２つ以上のデータフローを、合成入力データの１つのフローに集約し、そして次に、当該合成入力データを、第１データ処理装置６０に送信する。第１データ処理装置６０は、次に、合成データを分割する処理を実行し、そして復元された２つ以上のデータフローを対応する複数の遠隔基地局４０に送信する。
【００４３】
図３を参照すると、本発明の複数の実施例において提供されるデータ伝送システムの他の実施例は、複数の遠隔基地局４０、複数の第１データ処理装置６０、及び１つの中央側装置５０を含む。ここで、中央側装置５０は、１つの第２データ処理装置７０を統合する。
【００４４】
各第１データ処理装置６０は、複数の遠隔基地局４０に接続され、そして各遠隔基地局は、ただ１つの第１データ処理装置６０だけに接続される。各第１データ処理装置６０及び遠隔基地局４０は、１つの光ファイバ又は１対の光ファイバを介して接続され、そして各第１データ処理装置６０は、１つの光ファイバ又は１対の光ファイバを介して中央側装置５０に接続される。
【００４５】
第１データ処理装置６０は、第１データ処理装置６０に接続される複数の遠隔基地局の中の２つ以上の遠隔基地局から送信される２つ以上のデータフローを受信し、当該２つ以上のデータフローを出力データの１つのフローに集約し、かつ当該出力データを中央側装置に送信するように構成される。
【００４６】
第２データ処理装置は、中央側装置と複数の遠隔基地局との間の通信を実行するために、第１データ処理装置から送信される出力データを受信し、出力データを合成前の２つ以上のデータフローに復元し、そしてその後、２つ以上のデータフローを認識するように構成される。
【００４７】
第２データ処理装置７０は、さらに、１つの第１データ処理装置に接続される２つ以上の遠隔基地局に対して中央側装置により送信される２つのデータフローを、１つのフローに集約し、そして集約された合成入力データを、２つ以上の遠隔基地局に接続される第１データ処理装置に送信するように構成される。
【００４８】
第１データ処理装置６０は、さらに、中央側装置から送信される合成入力データを受信し、合成入力データを合成前の２つ以上のデータフローに復元し、かつ各復元されたデータフローの中のサブインターフェース識別情報に従って、かつ当該複数のサブインターフェース識別情報に対応する複数のサブインターフェースを介して、復元された２つ以上のデータフローを、複数の光ファイバを介して当該複数のサブインターフェースに接続される複数の遠隔基地局に送信するように構成される。
【００４９】
各第１データ処理装置６０は、複数の遠隔基地局４０に接続され、そして各遠隔基地局４０は、ただ１つの第１データ処理装置６０だけに接続される。各第１データ処理装置６０及び遠隔基地局は、１つの光ファイバ又は１対の光ファイバーを介して接続され、そして各第１データ処理装置６０は、１つの光ファイバ又は１対の光ファイバーを介して中央側装置５０に接続される。
【００５０】
多くの遠隔基地局が存在し、かつそのいくつかが局所的な地理的エリアに集中している場合に、配置を行うために、本実施例において提供される解決手段を使用することができる。このように、複数の遠隔基地局４０が中央側装置５０から遠く離れている場合に、第１データ処理装置６０及び中央側装置５０は、１つの光ファイバ又は１対の光ファイバだけを介して接続され、これにより、必要とされる光ファイバの量を大幅に減らすことができる。
【００５１】
本発明の本実施例において、複数の第１データ処理装置６０を配置してもよく、そして１つの第１データ処理装置は、局所的な地理的エリアの中に集中している複数の遠隔基地局に対して配置される。第１データ処理装置６０の複数の機能は、図２に対応する実施例における第１データ処理装置６０と同じであり、そして従って再び詳細については説明しない。
【００５２】
中央側装置５０に接続される複数の第１データ処理装置６０が存在し、かつ各第１データ処理装置６０が中央側装置５０から非常に遠い場合、中央側装置５０に接続される複数の第１データ処理装置６０を、まず、処理されるデータを透過的に送信する装置に接続し、そして次に透過的にデータ処理を送信する装置を中央側装置５０に送信し、これにより必要とされる光ファイバの量をさらに削減することは実際的である。
【００５３】
透過的にデータ処理を送信する装置がこのようなシナリオにおいて透過的送信／中継の目的を満たすモジュール／装置である場合には、透過的にデータ処理を送信する装置は第１データ処理装置６０と同じ機能を有してもよく、これにより必要とされる光ファイバの量がさらに削減される。
【００５４】
図４を参照すると、本発明の複数の実施例の中で提供されるデータ伝送システムの他の実施例は、複数の遠隔基地局４０、１つの第１データ処理装置６０、１つの第２データ処理装置７０及び１つの中央側装置５０を含む。ここで、中央側装置５０と第２データ処理装置７０との間には、通信接続が存在する。実施のシナリオにおいて、第２データ処理装置７０は、中央側装置５０の外部に配置されてもよい。
【００５５】
第１データ処理装置６０は、１つの光ファイバ又は１対の光ファイバを介して、各遠隔基地局４０に接続され、そして第１データ処理装置６０は、１つの光ファイバ又は１対の光ファイバを介して、第２データ処理装置７０に接続される。
【００５６】
第１データ処理装置６０は、複数の遠隔基地局の中の２つ以上の遠隔基地局から送信される２つ以上のデータフローを受信し、当該２つ以上のデータフローを出力データの１つのフローに集約し、かつ当該出力データを第２のデータ処理装置に送信するように構成される。
【００５７】
第２データ処理装置７０は、中央側装置と複数の遠隔基地局との間の通信を実行するために、第１データ処理装置から送信される出力データを受信し、当該出力データを合成前の２つ以上のデータフローに復元し、そして次に、当該２つ以上のデータフローを認識するように構成される。
【００５８】
第２データ処理装置７０は、中央側装置５０により第１データ処理装置に接続される２つ以上の遠隔基地局に送信される２つ以上のデータフローを１つのフローに集約し、そして当該集約された合成入力データを第１データ処理装置に送信するように、さらに構成される。
【００５９】
第１データ処理装置６０は、第２データ処理装置から送信される合成入力データを受信し、合成の入力データを合成前の２つ以上のデータフローに復元し、かつ各復元されたデータフローの中のサブインターフェース識別情報に従って、かつサブインターフェース識別情報に対応する複数のサブインターフェースを介して、当該復元された２つ以上のデータフローを、複数の光ファイバを介して複数のサブインターフェースに接続される複数の遠隔基地局に送信するように、さらに構成される。
【００６０】
第１データ処理装置６０は、１つの光ファイバ又は１対の光ファイバを介して、各遠隔基地局４０に接続され、そして第１データ処理装置６０は、１つの光ファイバ又は１対の光ファイバを介して、第２データ処理装置７０に接続される。このように、複数の遠隔基地局４０が中央側装置５０から遠く離れている場合に、第１データ処理装置６０及び中央側装置５０は、ただ１つの光ファイバ又は１対の光ファイバを介して接続され、これにより必要とされる光ファイバの量を大幅に削減する。
【００６１】
本実施例において、第１データ処理装置６０及び第２データ処理装置７０は、データ伝送システムにおける２つの目的、すなわち、データの集約及び／又はデータの分離という目的を果たし、そして２つのデータ処理装置はデータ処理プロセスにおける逆の役割を果たす。例えば、データ処理装置６０が２つ以上のデータフローを集約した後、データ処理装置６０は、集約された合成データを、第２処理装置７０に送信し、そして第２データ処理装置７０は、当該合成データを分割する。逆に、第２データ処理装置７０が２つ以上のデータフローを集約した後、第２データ処理装置７０は、第１データ処理装置６０に、合成データを送信し、そして第１データ処理装置６０は合成データを分割し、そして復元された２つ以上のデータフローを、対応する複数の遠隔基地局４０に送信する。
【００６２】
本発明の本実施例の具体的な実施シナリオは、以下の通りである：
【００６３】
第１データ処理装置６０は、複数の遠隔基地局の中の２つ以上の遠隔基地局から送信される２つ以上のデータフローを受信し、当該２つ以上のデータフローを出力データの１つ以上に集約し、そして第２データ処理装置に出力データを送信する；そして第２データ処理装置７０は、中央側装置５０と複数の遠隔基地局４０との間の通信を実行するために、第１データ処理装置６０から送信される出力データを受信し、出力データを合成前の２つ以上のデータフローに復元し、そして２つ以上のデータフローを認識する。
【００６４】
第２データ処理装置７０は、第１データ処理装置６０に接続される２つ以上の遠隔基地局に送信される２つのデータフローを集約し、そして２つ以上の遠隔基地局に接続される第１データ処理装置６０に当該集約される合成入力データを送信し；そして第１データ処理装置６０は、第２データ処理装置７０から送信される合成入力データを受信し、当該合成入力データを合成前の２つ以上のデータフローに復元し、そして各復元されるデータフローの中のサブインターフェース識別情報に従って、かつ当該複数のサブインターフェース識別情報に対応する複数のサブインターフェースを介して、当該復元される２つ以上のデータフローを、複数の光ファイバを介して複数のサブインターフェースに接続される複数の遠隔基地局４０に送信する。
【００６５】
中央側装置５０は、各遠隔基地局４０のみに対するデータを生成する。中央側装置が２つ以上の遠隔基地局４０に送信される２つ以上のデータフローを生成した後、２つのデータフローは第２データ処理装置７０により１つの合成入力データに集約され、そして次に、第１データ処理装置６０に送信される。
【００６６】
図５を参照すると、本発明の複数の実施例において提供されるデータ伝送システムの他の実施例は、複数の遠隔基地局４０、複数の第１データ処理装置６０、１つの第２データ処理装置７０及び１つの中央側装置５０を含む。ここで、中央側装置５０と第２データ処理装置７０との間には通信接続が存在する。実施シナリオにおいて、第２データ処理装置７０は、中央側装置５０の外部に配置される。
【００６７】
各第１データ処理装置６０は、複数の遠隔基地局に接続され、そして各遠隔基地局４０は、ただ１つの第１データ処理装置６０だけに接続される。各データ処理装置６０及び遠隔基地局４０は、１つの光ファイバ又は１対の光ファイバを介して接続され、そして各第１データ処理装置６０は、１つの光ファイバ又は１対の光ファイバを介して、第２データ処理装置７０に接続される。
【００６８】
第１データ処理装置６０は、第１データ処理装置６０に接続される複数の遠隔基地局の中の２つ以上の遠隔基地局から送信される２つ以上のデータフローを受信し、２つ以上のデータフローを出力データの１つのフローに集約し、かつ当該出力データを第２データ処理装置に送信するように構成される。
【００６９】
第２データ処理装置７０は、中央側装置と複数の遠隔基地局との間の通信を実行するために、第１データ処理装置から送信される出力データを受信し、当該出力データを合成前の２つ以上のデータフローに復元し、そして次に、２つ以上のデータフローを認識するように構成される。
【００７０】
第２データ処理装置７０は、１つの第１データ処理装置に接続される２つ以上の遠隔基地局に対して中央側装置により送信される２つのデータフローを集約し、そして２つ以上の遠隔基地局に接続される第１データ処理装置に当該集約される合成入力データを送信するように、さらに構成される。
【００７１】
第１データ処理装置６０は、第２データ処理装置から送信される合成入力データを受信し、当該合成入力データを合成前の２つ以上のデータフローに復元し、そして各復元されるデータフローの中のサブインターフェース識別情報に従って、かつ当該複数のサブインターフェース識別情報に対応する複数のサブインターフェースを介して、復元された２つ以上のデータフローを、複数の光ファイバを介して複数のサブインターフェースに接続される複数の遠隔基地局に送信するように、さらに構成される。
【００７２】
多数の遠隔基地局４０が存在し、かつそれらが局所的な地理的エリアに集中している場合において、配置を行うために、本実施例において提供される解決手段を使用することができる。このように、複数の遠隔基地局４０が中央側装置５０から非常に遠く離れている場合に、第１データ処理装置６０及び中央側装置５０は、ただ１つの光ファイバ又は１対の光ファイバを介して接続され、これにより、必要とされる光ファイバの量を大幅に削減する。
【００７３】
本発明の本実施例において、複数の第１データ処理装置６０を配置してもよく、そして１つの第１データ処理装置６０は、局所的な地理的エリアに集中している複数の遠隔基地局に対して配置される。第１データ処理装置６０の複数の機能は図４に対応する実施例における第１データ処理装置６０と同じであり、そして従って再び詳細については説明しない。
【００７４】
図６を参照すると、本発明の複数の実施例において提供されるデータ伝送システムの他の実施例は、以下の通りである：
【００７５】
遠隔基地局４０は、光ファイバを介してデータ処理装置３０のサブインターフェース３０１に接続され；２つ以上の遠隔基地局４０からの２つ以上のデータフローがデータ処理装置３０に接続される複数の光ファイバを介して、別々に、複数のサブインターフェース３０１に入力される。上りリンクの方向において、当該２つ以上のデータフローは、データ処理装置により集約され、光ファイバを介して合成インターフェース３０６に接続される中央側装置５０に対して、合成インターフェース３０６を介して送信される。逆に、下りリンクの方向において、中央側装置５０が２つ以上のデータフローを２つ以上の遠隔基地局４０に送信することが必要である場合、中央側装置５０に統合されたデータ処理装置は、まず、当該送信される２つ以上のデータフローを集約し、そして次に、当該集約される合成データは、光ファイバを介して、データ処理装置３０に対して送信され、そして次に、データ処理装置３０は当該合成データを分割し、かつ当該復元される２つ以上のデータフローを、異なる複数のサブインターフェース３０１を介して、対応する複数の遠隔基地局に対して送信する。図６において、データ処理装置３０は、２つの合成インターフェース３０６を伴って構成されてもよく、ここで、１つは中央側装置５０に接続され、かつ他方は処理されるデータを透過的に送信する装置２０に接続される。データ処理を透過的に送信する装置２０は以下の目的を果たす： 中央側装置５０に接続される複数のデータ処理装置３０が存在し、かつ当該複数のデータ処理装置３０が全て中央側装置５０から遠く離れている場合に、必要とされる光ファイバの量をさらに削減するために、中央側装置５０に接続される複数のデータ処理装置３０は、まず、処理されるデータを透過的に送信する装置２０に接続されてもよく、そして次に、処理されるデータを透過的に送信する装置２０は、１つの光ファイバ又は１対の光ファイバを介して中央側装置５０に対して接続される。
【００７６】
図７に関連して、データ処理装置３０により実行されるデータの集約及びデータの分割の具体的な複数の処理が詳述される。
【００７７】
データ処理装置３０により実行されるデータ集約処理は以下の通りである：サブインターフェース３０１は、各データフローのクロック情報を基準クロック情報に合わせるために、受信される光信号を電気的な信号に変換し、直列的な信号を並列的な信号に変換し、かつクロックモジュール３０２を使用することにより、基準クロックを抽出する。この処理は、図８を参照することにより理解することができる。ここで、光電気変換モジュール３０１１は、受信される光信号を電気的な信号に変換し、そして次に、直並列変換モジュール３０１２は、直列信号を並列信号に変換する。クロックモジュール３０２はサブインターフェースの３０１により処理されるデータからクロック情報を抽出し、基準クロックを出力し、かつデータ処理のために必要とされるクロックを生成するための基準クロックとして、この基準クロックを使用する。本発明の本実施例において述べられるクロック情報は、データを送信する高調波成分の周波数及び位相であってもよい。データ速度認識モジュール３０３は、全てのデータフローの速度の合計が合成データの事前に設定される閾速度よりも大きい場合に、サブインターフェース３０１により変換される各並列データフローのデータ速度を検出し、かつ警報情報を生成し；そして管理／保守モジュール３０４はデータ速度認識モジュール３０３により生成される警報情報を収集し、そして当該警報情報をデータルート認識／割当モジュール３０５に対して転送する。ここで、当該警報情報は、データルート認識／割当モジュール３０５により、中央側装置５０に対して通知される。全てのデータフローの速度の合計が合成データの事前に設定される閾速度よりも小さい又は等しい場合、管理／保守モジュール３０４は、複数のデータフローを出力データの１つのフローに合成するように、データルート認識／割当モジュール３０５に指示する。合成インターフェース３０６は、当該合成出力データを複数の並列信号から複数の直列信号に変換し、複数の電気的信号を複数の光信号に変換し、合成インターフェース３０６に接続される光ファイバを介して、複数の光信号を中央側装置５０に送信する。
【００７８】
データ処理装置３０により実行されるデータを分割する処理は以下の通りである：
【００７９】
データ分割処理は、データ集約処理の逆である。中央側装置５０は、光ファイバを介して、合成インターフェース３０６に接続される。合成インターフェース３０６が入力合成データを受信した後、合成インターフェース３０６は、まず、複数の光信号を複数の電気的信号に変換し、かつ複数の直列信号を複数の並列信号に変換する；データルート認識／割当モジュール３０５は、合成インターフェースからのデータを処理し、かつ合成データの中の複数のサブインターフェース識別情報に従って、合成データから複数のデータフローを復元し；データ速度認識モジュール３０３は、データルート認識／割当モジュール３０５により復元された複数のデータフローの複数の速度を検出し、当該速度情報を管理／保守モジュール３０４に転送し；そしてサブインターフェース３０１は、まず、復元された並列データを直列データに変換し、複数の光信号を複数の電気的信号に変換し、かつサブインターフェース３０１に接続される複数の光ファイバを通して、当該複数の電気的信号を対応する複数の遠隔基地局に対して送信する。
【００８０】
図９を参照すると、前の複数の実施例において開示される複数のデータ処理装置は、データ集約機能とデータ分割機能の双方を提供する。データ集約の観点から、前の実施例において開示されるデータ処理装置に基づき、本発明の複数の実施例において提供されるデータ伝送方法の１つの実施例は、以下の複数のステップを含む：
【００８１】
１０１．データ処理装置は、複数の遠隔基地局の中の２つ以上の遠隔基地局から送信される２つ以上のデータフローを受信する。
【００８２】
データ処理装置は複数の遠隔基地局に接続される。複数の遠隔基地局は、同時又は異なる時間に、データ処理装置に対してデータを転送してもよい。データ処理装置が２つ以上の遠隔基地局から送信される２つ以上のデータフローを受信する場合、当該データ処理装置は、そのデータを集約してもよい。
【００８３】
１つの遠隔基地局とデータ処理装置とを接続する光ファイバが受信機能及び送信機能の双方を有する場合、データ処理装置は複数のサブインターフェースを有し、ここで、各サブインターフェースのサブ識別子は異なる。１つの遠隔基地局とデータ処理装置が１対の光ファイバを介して接続され、１つの光ファイバは受信のために使用され、そして他の光ファイバは送信のために使用される場合には、データ処理装置は複数のサブインターフェース対を有し、１対のインターフェースの中の双方のインターフェースは同じサブインターフェース識別情報を有するが、１対のインターフェースは、全ての他の１対のサブインターフェースとは異なるサブインターフェース識別情報を有する。データ処理装置が、受信機能及び送信機能の双方を有する１つの光ファイバを介して、中央側装置に接続される場合、１つ以上の合成インターフェースが存在し；そしてデータ処理装置が１対の光ファイバを介して中央側装置に接続され、１つの光ファイバは受信のために使用され、かつ他方の光ファイバは送信のために使用される場合には、１対以上の合成インターフェースが存在し、１つの合成インターフェースは受信用の光ファイバに接続され、かつ他の合成インターフェースは送信用の光ファイバに接続される。
【００８４】
複数のサブインターフェース及び複数の合成インターフェースは、特定の形態には限定されず、そして当該複数インターフェースが共通の公衆無線インターフェース（ＣＰＲＩ、Ｃｏｍｍｏｎ  ｐｕｂｌｉｃ  ｒａｄｉｏ  ｉｎｔｅｒｆａｃｅ）データを送信できるのであれば、いかなる形態であっても受け入れられる。
【００８５】
１０２．データ処理装置は、２つ以上のデータフローを出力データの１つのフローに集約する。
【００８６】
２つ以上のデータフローを出力データの１つのフローに集約することは、具体的には：当該受信される２つ以上のデータフローのうちの各フローの速度を取得すること、及び各受信されるデータフローのサブインターフェース識別情報を取得することを含み；当該２つ以上のデータフローの速度の合計が合成データの事前設定される閾値よりも小さいか又は等しい場合に、２つ以上のデータフローの中の各データフローに対応するサブインターフェース識別情報を送信し、それぞれサブインターフェース識別情報を送信する２つ以上のデータフローを出力データの１つのフローに集約することを含む。２つ以上のデータフローは、出力データの１つのフローに合成され、ここで、実際に、２つ以上のデータフローの中の各データフローは変更されず、かつ合成出力データの速度は、合成前の複数のデータフローの複数の速度の合計である。
【００８７】
例えば、合成データの事前に設定された閾速度が１０Ｇｂｐｓであり、かつデータ処理装置が１０本のデータフロー受信し、各データフローの速度が１Ｇｂｐｓよりも低いか又は等しい場合、当該１０本のデータフローを合成データの１つのフローに集約することが可能であり、かつ当該合成データは、中央側装置に接続される光ファイバを介して、中央側装置に対して送信される。
【００８８】
実施シナリオにおいて、中央側装置は、データ伝送処理の間に、各遠隔基地局に基準クロック情報を提供する。本発明の本実施例の中で述べられるクロック情報は、データを送信する高調波成分の周波数及び位相であってもよい。中央側装置は、中央側装置のカバレッジ内の複数の遠隔基地局のクロック情報を制御し、そして従って、データを送信し、かつ各遠隔基地局により送信される高調波の当該周波数及び位相は同じである。しかしながら、各信号フローは異なる伝送距離を有するので、遠隔基地局により送信される高調波成分の位相において偏差が存在する可能性がある。この場合、データ処理装置が２つ以上のデータフローを受信した後、データ処理装置は、まず、各データフローをキャッシュして、そして２つ以上のデータフローを送信する複数の高調波成分の複数の位相及び中央側装置により提供される基準高調波位相を取得する必要があり、そして次に、２つ以上のデータフローを送信する複数の高調波成分の複数の位相を当該基準位相に対して調整する必要がある。
【００８９】
実施シナリオにおいて、複数のデータフローの複数の速度の合計が合成データの事前に設定された閾速度よりも大きい場合、警報情報が生成され、そして警報情報は中央側装置に送信される。
【００９０】
例えば、合成データの事前に設定される閾速度が１０Ｇｂｐｓであり、かつデータ処理装置が１０本のデータフローを受信し、各データフローの速度が１Ｇｂｐｓより大きい場合、送信のために当該１０本のデータフローを合成データの１つのフローに集約することができず、そして、このような例外の情報を中央側装置に送信する必要がある。この場合において、データ処理装置は警報情報を生成し、そして中央側装置に生成された警報情報を送信する。
【００９１】
１０３．データ処理装置は中央側装置に出力データを送信する。
【００９２】
本発明の本実施例において提供される中央側装置は、本発明の実施例において提供される複数のデータ処理装置により実行される処理の逆の処理を実行する１つのデータ処理装置を統合する。本発明の複数の実施例において提供されるデータ処理装置が２つ以上のデータフローを出力データの１つのフローに集約した後、中央側装置の中のデータ処理装置は、どの基地局からデータが送信されたかを中央側装置で認識するために、当該集約された出力データを分割する。
【００９３】
実際には、中央側装置はデータ処理装置を統合しなくてもよく、外部データ処理装置を中央側装置に取り付け、そして外部のデータ処理装置を中央側装置と通信可能としておくことがあり得る。
【００９４】
本発明の本実施例において、データ処理装置は、複数の遠隔基地局の中の、２つ以上の遠隔基地局から送信される２つ以上のデータフローを受信し、当該２つ以上のデータフローを出力データの１つのフローに集約し、そして中央側装置に出力データを送信する。従来の技術と比較して、データ処理装置が１つの光ファイバ又は１対の光ファイバを介して中央側装置に接続される、本発明の実施例におけるデータ伝送方法は、クラウド無線アクセスネットワークにおいて複数の遠隔基地局が中央側装置から遠く離れている（例えば、数百メートル又は数キロメートルまで）状況において、データ伝送を実現する一方で、必要とされる光ファイバの量を削減することが可能である。
【００９５】
図１０を参照する。前述の複数のデータ処理装置に基づいて、データを分割する観点から、本発明の複数の実施例において提供されるデータ伝送方法の他の実施例は、以下の複数のステップを含む：
【００９６】
２０１．データ処理装置は、中央側装置から送信される合成データの１つのフローを受信する。
【００９７】
本発明の実施例における中央側装置は１つのデータ処理装置を統合する。中央側装置が、異なる複数の遠隔基地局に、いくつかのデータフローを送信する必要がある場合、統合されたデータ処理装置は、まず、図３に対応するデータ統合処理に従って、当該複数のデータフローを出力データの１つのフローに集約し、そして次に、中央側装置に接続されるデータ処理装置に出力データを送信し、そしてデータ処理装置は、中央側装置から送信される合成入力データを受信する。
【００９８】
２０２．データ処理装置は、合成入力データを合成前の２つ以上のデータフローに復元する。
【００９９】
中央側装置に統合されたデータ処理装置は、本発明の複数の実施例において提供される複数のデータ処理装置と全く同じであり、そして従って、中央側装置に統合されたデータ処理装置の複数のサブインターフェース識別情報は、本発明の複数の実施例において提供されるデータ処理装置の複数のサブインターフェース識別情報と同じである。
【０１００】
合成入力データを合成前の２つ以上のデータフローに復元することは、具体的には：当該合成入力データを構文解析すること及び当該合成入力データの各データフローの中のサブインターフェース識別情報を取得すること；及び複数のサブインターフェース識別情報に従って、合成入力データを合成前の２つ以上のデータフローに復元すること、を含む。実際には、合成データを合成前のデータに復元する処理は、合成前の複数のデータフローのいずれも変更しないが、各データフローの速度を合成前の速度に復元することだけを行う。
【０１０１】
例えば、データ処理装置の複数のサブインターフェース識別情報が、１、２、３、４、５、６、７、及び８である場合、データ処理装置が合成入力データを受信した後、データ処理装置は合成入力データを構文解析し、そして合成入力データの中の各データフローのサブインターフェース識別情報を取得し；そして取得された複数のサブインターフェース識別情報が１、２、及び３である場合、データ処理装置は、当該３つのサブインターフェース識別情報に従って、３つのデータフローに分割する。
【０１０２】
２０３．データ処理装置は、各復元されたデータフローの中のサブインターフェース識別情報に従って、かつ複数のサブインターフェース識別情報に対応する複数のサブインターフェースを介して、復元された２つ以上のデータフローを、複数の光ファイバを介して複数のサブインターフェースに接続される複数の遠隔基地局に送信する。
【０１０３】
複数の光ファイバは複数のサブインタ−フェースに接続されるので、複数のサブインターフェース識別情報に従ってデータが分割された後、データは、複数のサブインターフェース識別情報に対応する複数のサブインターフェースから複数の光ファイバを介して当該複数のサブインターフェースに接続される複数の遠隔基地局に送信される。
【０１０４】
本発明の本実施例において、データ処理装置は、中央側装置から送信される合成入力データの１つのフローを受信し、合成入力データを合成前の２つ以上のデータフローに復元し、そして各復元されたデータフローの中のサブインターフェース識別情報に従って、かつ当該複数のサブインターフェース識別情報に対応する複数のサブインターフェースを介して、復元された２つ以上のデータフローを、複数の光ファイバを介して当該複数のサブインターフェースに接続される複数の遠隔基地局に対して送信する。従来の技術と比較して、データ処理装置が１つの光ファイバ又は１対の光ファイバを介して中央側装置に接続される、本発明の実施例におけるデータ伝送方法は、クラウド無線アクセスネットワークにおいて複数の遠隔基地局が中央側装置から非常に遠く離れている（例えば、数百メートル又は数キロメートルまで）状況において、データ伝送を実現する一方で、必要とされる光ファイバの量を削減することが可能である。
【０１０５】
図１１を参照すると、本発明の本実施例において提供されるデータ処理装置の一実施例は、複数のサブインターフェース３０１又は複数のサブインタフェース対３０１及び１つ以上の合成インターフェース３０６又は１対の合成インターフェース３０６を含み、各サブインターフェース３０１又は各サブインターフェース対３０１は、一意のサブインターフェース識別情報を有し、各遠隔基地局は、１つの光ファイバ又は１対の光ファイバを介して、１つのサブインターフェース３０１又は１対のサブインターフェース３０１に接続され、そして中央側装置は、１つの光ファイバ又は１対の光ファイバを介して、１つの合成インターフェース３０６又は１対の合成インターフェース３０６に接続される。
【０１０６】
複数のサブインターフェース３０１は、複数の光ファイバを介して複数のサブインターフェース３０１に接続される複数の遠隔基地局から送信されるデータを受信するように構成される。
【０１０７】
データ処理部３０７は、２つ以上のサブインターフェース３０１により受信される２つ以上のデータフローを出力データの１つのフローに集約するように構成される。
【０１０８】
合成インタフェース３０６は、データ処理部３０７により合成された出力データを、光ファイバを介して合成インターフェース３０６に接続される中央側装置に対して送信するように構成される。
【０１０９】
合成インタフェース３０６は、中央側装置から送信される合成入力データの１つのフローを受信するように、さらに構成される。
【０１１０】
データ処理部３０７は、合成インタフェース３０６により受信される合成入力データを、合成前の２つ以上のデータフローに復元するように、さらに構成される。
【０１１１】
複数のサブインターフェース３０１は、データ処理部３０７により復元される２つ以上のデータフローを、各復元されるデータフローの中の各サブインターフェース識別情報に従って、複数の光ファイバを介して複数のサブインターフェースに接続される複数の遠隔基地局に対して送信するように、さらに構成される。
【０１１２】
本発明の本実施例において、複数のサブインターフェース３０１又は複数のサブインターフェース対３０１及び１つ以上の合成インターフェース３０６又は１対の合成インターフェースに関して、各サブインターフェース３０１又は各サブインターフェース対３０１は、一意のサブインターフェース識別情報を有し、各遠隔基地局は、１つの光ファイバ又は１対の光ファイバを介して、１つのサブインターフェース３０１又は１対のサブインターフェース３０１に接続され、そして中央側装置は、１つの光ファイバ又は１対の光ファイバを介して、１つの合成インターフェース３０６又は１対の合成インターフェース３０６に接続される。複数のサブインタフェース３０１は、複数の光ファイバを介して接続される複数の遠隔基地局から送信されるデータを受信する。データ処理部３０７は、２つ以上のサブインターフェース３０１により受信される２つ以上のデータフローを出力データの１つのフローに集約する。合成インターフェース３０６は、データ処理部３０７により合成される出力データを、光ファイバを介して合成インターフェース３０６に接続される中央側装置に対して送信する。合成インターフェース３０６は、中央側装置から送信される合成入力データの１つのフローを受信する。データ処理部３０７は、合成インターフェース３０６により受信される合成入力データを、合成前の２つ以上のデータフローに復元する。複数のサブインターフェース３０１は、各復元されるデータフローの中のサブインターフェース識別情報に従って、データ処理部３０７により復元される２つ以上ののデータフローを、複数の光ファイバ介して複数のサブインターフェース３０１に接続される複数の遠隔基地局に送信する。
【０１１３】
図１２を参照すると、図１１に対応する実施例に基づき、本発明の複数の実施例において提供されるデータ処理装置の他の実施例は、さらに：２つ以上のサブインターフェース３０１により受信される２つ以上のデータフローのうちの各データフローの速度を取得し、かつ各受信されるデータフローのサブインターフェース識別情報を取得するように構成される第１取得部３０８；前記データ処理部３０７であって、具体的には、前記第１取得部３０８により取得される２つ以上のデータフローの複数の速度の合計が事前に定められる合成データの閾速度よりも低い場合に、各データフローの中の各データフローに対応するサブインターフェース識別情報を送信し、かつ前記２つ以上のデータフローであって、それらそれぞれのサブインターフェース識別情報を送信する、前記２つ以上のデータフローを、出力データの１つのフローに集約するように構成される、前記データ処理部３０７；及び前記第１取得部により取得される前記複数のデータフローの前記複数の速度の合計が前記事前に定められる合成データの閾速度よりも高い場合に、警報情報を生成するように構成される生成部３０９；を備え、前記合成インターフェース３０６は、前記生成部３０９により生成される前記警報情報を前記中央側装置に送信するように構成される。
【０１１４】
本発明の本実施例において、第１取得部は、複数のデータフローの複数の速度を取得し、そして従って、複数のデータフローの複数の速度の合計に従って、複数のデータフローを正確に処理することが可能となり；複数のデータフローの複数の速度の合計が閾速度よりも高い場合には、保守及び管理を容易にするために、警報を遅れずに生成することが可能となる。
【０１１５】
図１３を参照すると、図１１に対応する実施例に基づき、本発明の複数の実施例において提供されるデータ処理装置の他の実施例は、さらに：２つ以上のデータフローを送信する複数の高調波成分の複数の位相及び前記中央側装置により提供される基準高調波位相を取得するように構成される第２取得部３１０；及び前記２つ以上のデータフローを送信し、かつ前記第２取得部３１０により取得される、前記複数の高調波成分の複数の位相を、前記基準位相に調整するように構成される調整部３１１；を備える。
【０１１６】
第２取得部が各データフローの高調波位相を取得した後、調整部は、次のデータ集約を支援するために、基準位相に従って、各データフローの高調波位相を当該基準位相に調整する。
【０１１７】
図１４を参照すると、図１１に対応する実施例に基づき、本発明の複数の実施例において提供されるデータ処理装置の他の実施例は、さらに：合成入力データを解析するように構成される解析部３１２；及び前記解析部３１２により解析される前記合成入力データの中の各データフローのサブインターフェース識別情報を取得するように構成される第３取得部３１３；を備え、前記データ処理部３０７は、具体的には、前記第３取得部３１３により取得される前記複数のサブインターフェース識別情報に従って、前記合成入力データを合成前の２つ以上のデータフローに復元するように構成される。
【０１１８】
本実施例において、第３取得部は、解析部により解析された合成データの中の各データフローのサブインターフェース識別情報を取得し、そしてデータ処理部は、複数のサブインターフェース識別情報に従って、データを分割する。
【０１１９】
本発明の複数の実施例において提供される複数のデータ処理装置は、必要とされる光ファイバの量を削減し、そしてコストを削減することができる。
【０１２０】
当業者は、前述の複数の実施例における複数の方法の複数のステップの全て又は一部を、関連するハードウェアに指令するプログラムにより実行してもよい、ということを理解することができる。プログラムは、コンピュータ読み取り可能な記憶媒体に記憶されてもよい。記憶媒体は、ＲＯＭ、ＲＡＭ、磁気ディスク、又は光ディスクを含んでもよい。
【０１２１】
本発明の複数の実施例において提供される複数のデータ伝送方法、複数の装置及び複数のシステムが詳述された。本発明の複数の原理及び複数の実装が具体的な複数の例において明確化されたが、当該複数の実施例の説明は、本発明の複数の方法及び中心的な精神の理解を支援する目的だけに対するものである。また、当業者は、本発明の精神に基づいて、具体的な複数の実施及び適用範囲に対する各種変更をさらに行うことができる。結論として、本明細書は、本発明に対する限定であるとして解釈してはならない。
【図１】
0006018706.tif 000002
【図２】
0006018706.tif 000003
【図３】
0006018706.tif 000004
【図４】
0006018706.tif 000005
【図５】
0006018706.tif 000006
【図６】
0006018706.tif 000007
【図７】
0006018706.tif 000008
【図８】
0006018706.tif 000009
【図９】
0006018706.tif 000010
【図１０】
0006018706.tif 000011
【図１１】
0006018706.tif 000012
【図１２】
0006018706.tif 000013
【図１３】
0006018706.tif 000014
【図１４】
0006018706.tif 000015